(57)【要約】【課題】磁気センサの検出結果に基づき異常を検出する磁気監視制御の下、励磁制御により動作する電動役物から発する磁力に起因した、異常検出の発生を防止する。【解決手段】  アタッカーソレノイド１４８の近傍に第１の磁気センサ２０２ＣＡ及び第２の磁気センサ２０２ＣＢを配置し、第１の磁気センサ２０２ＣＡの検出光軸を遊技盤１８面に垂直として遊技盤１８の前面及び裏面の磁力を検出可能とし、第２の磁気センサ２０２ＣＢの検出光軸を遊技盤１８面に平行として遊技盤１８の裏面の磁力を検出可能とし、これらの検出結果の組み合わせによって、遊技盤１８の前面で発生する磁力（主として不正行為による磁力）を確実に検出することができる。【選択図】図６
2014057739.tif 000002
【特許請求の範囲】
【請求項１】
通電制御による励磁又は非励磁の状態を利用して、遊技盤面に設けられた可動部を少なくとも２位置に移動させる複数の駆動部と、
磁力の検出範囲が、前記遊技盤の表面側及び裏面側空間であり、前記駆動部の前記通電制御による前記励磁の影響を受ける位置に設けられた第１の磁気センサと、
磁力の検出範囲が、前記遊技盤の裏面側空間であり、前記駆動部の前記通電制御による前記励磁の影響を受ける位置に設けられた第２の磁気センサと、
前記第１の磁気センサ及び第２の磁気センサからの検出信号を入力源とし、前記第１の磁気センサからの検出信号が予め定めた強度を超える磁力であり、かつ第２の磁気センサからの検出信号が予め定めた強度を超えない磁力であるときに異常信号を出力し、前記遊技盤の表面側での磁力の発生状態を監視する監視手段と、
を有する遊技機。
【請求項２】
前記遊技盤の表面側には、前記可動部の動作状態によって遊技球を受け入れ可能な開口部を有し、前記第１の磁気センサは、前記開口部を基点とした遊技盤の表面側及び裏面側空間が磁力の検出範囲となるように配置されていることを特徴とする請求項１記載の遊技機。
【請求項３】
前記駆動部が、前記開口部に設けられた可動部を駆動するための第１の駆動部と、前記開口部とは別に設けられた演出用の可動部を駆動するための第２の駆動部とを備えることを特徴とする請求項２記載の遊技機。
【請求項４】
前記監視手段から出力される異常信号を受けて、異常な磁力の発生を報知する報知手段をさらに有することを特徴とする請求項１〜請求項３の何れか１項記載の遊技機。
【発明の詳細な説明】
【技術分野】
【０００１】
本発明は、磁気センサを備えた遊技機に関するものである。
【背景技術】
【０００２】
従来、遊技機、例えば、パチンコ機やパチスロ機においては、回路基板上に取り付けられた集積回路（マイクロコンピュータを含む）に、予め定められた遊技仕様プログラムが記憶されると共に、遊技機に備えられたＬＣＤ等の画像表示部、ＬＥＤ等の電飾部材、電動役物等の可動部材が当該遊技仕様プログラムに基づき、遊技の進行によって動作制御されるようになっている。
【０００３】
電動役物には、その動作のための駆動源として、モータやソレノイドが適用されている。モータやソレノイドは、駆動の際に磁力が発生する。特にソレノイドは、励磁力によりアクチュエータを動作させる機構であり、例えば、２位置間を短いストロークで移動させることができ、パチンコ機では、電動チューリップや大入賞口（アタッカー）等の役物装置の開閉動作や、は、演出用の可動部の動作の駆動源に適用される。また、モータは、永久磁石が適用されると共に、電流を流すことで磁力が発生するため、少なからず、周囲に磁力の影響を及ぼしている。
【０００４】
ところで、遊技盤面側のガラス越しに、磁石等を用いて磁力で遊技球を誘導する不正行為がある。例えば、大当たりしたときに実行されるアタッカーの開閉動作中に、アタッカーの上部に遊技球を磁力で滞留させ、一気にアタッカーへ入賞させ、本来の入賞球制限数をはるかに超える入賞によって、不正に賞球を受けるような不正行為が存在する。
【０００５】
このため、遊技盤の適宜箇所に、磁気センサを取り付け、磁気監視制御を実行している。磁気監視制御では、磁気センサによって磁力を検出すると、遊技仕様プログラムを中断したり、警報を鳴らしたりして不正対策を行う。この磁気監視制御により、磁石等を用いた磁力による不正行為を未然に防止することができる。
【０００６】
一方、遊技盤には、前記電動役物の駆動源として、励磁力でアクチュエータを動作させるソレノイドが適用されている。このソレノイドの励磁動作を感知して、不正対策が実行されることは、前記磁気監視制御の意に反することになる。
【０００７】
このため、磁気センサの検出領域（感知範囲）を避けて、ソレノイドを配置することが提案されている（特許文献１参照）。
【先行技術文献】
【特許文献】
【０００８】
【特許文献１】特開２００９−０６６３４２号公報
【発明の概要】
【発明が解決しようとする課題】
【０００９】
しかしながら、上記特許文献１のように、磁気センサ（すなわち、検出領域）と、ソレノイドとの相対位置関係を考慮して、それぞれの取付位置を選定しなければならず、大幅に構造上の制約を受けることになる。
【００１０】
特に、磁気センサの検出領域は、磁気センサ自身の経時的性能変化、或いは周辺金属部品等との位置関係により、取り付け初期の磁気センサの単体での設計上の検出領域に対して変動する場合がある。
【００１１】
このような変動があった場合に、既に固定的に取り付けられた磁気センサやソレノイドの取付位置変更ができず、磁気センサの検出精度を低下させなければならず、不正行為対策に支障をきたすことになる。
【００１２】
さらに、磁気センサの検出精度を低下させる要因として、動作を伴う電動役物の演出の多様化が考えられる。この電動役物において、当該電動役物を動作させるためのソレノイドを遊技盤の裏面側に設置するにあたり、取付スペースの制限上、ソレノイドが磁気センサの検出範囲に進出せざるを得ない場合がある。
【００１３】
本発明は上記事実を考慮し、磁気センサの検出結果に基づき異常を検出する磁気監視制御の下、励磁制御により動作する電動役物等の駆動部から発する磁力に起因した、異常検出の発生を防止することができる遊技機を得ることが目的である。
【課題を解決するための手段】
【００１４】
本発明は、通電制御による励磁又は非励磁の状態を利用して、遊技盤面に設けられた可動部を少なくとも２位置に移動させる複数の駆動部と、磁力の検出範囲が、前記遊技盤の表面側及び裏面側空間であり、前記駆動部の前記通電制御による前記励磁の影響を受ける位置に設けられた第１の磁気センサと、磁力の検出範囲が、前記遊技盤の裏面側空間であり、前記駆動部の前記通電制御による前記励磁の影響を受ける位置に設けられた第２の磁気センサと、前記第１の磁気センサ及び第２の磁気センサからの検出信号を入力源とし、前記第１の磁気センサからの検出信号が予め定めた強度を超える磁力であり、かつ第２の磁気センサからの検出信号が予め定めた強度を超えない磁力であるときに異常信号を出力し、前記遊技盤の表面側での磁力の発生状態を監視する監視手段と、を有している。
【００１５】
本発明によれば、駆動部は、通電制御による励磁又は非励磁の状態を利用して、遊技盤面に設けられた可動部を少なくとも２位置に移動させる。
【００１６】
第１の磁気センサは、磁力の検出範囲が、前記遊技盤の表面側及び裏面側空間であり、前記駆動部の前記通電制御による前記励磁の影響を受ける位置に設けられている。
【００１７】
第２の磁気センサは、磁力の検出範囲が、前記遊技盤の裏面側空間であり、前記駆動部の前記通電制御による前記励磁の影響を受ける位置に設けられている。
【００１８】
監視手段では、前記第１の磁気センサ及び第２の磁気センサからの検出信号を入力源とし、前記第１の磁気センサからの検出信号が予め定めた強度を超える磁力であり、かつ第２の磁気センサからの検出信号が予め定めた強度を超えない磁力であるときに異常信号を出力し、前記遊技盤の表面側での磁力の発生状態を監視することができる。
【００１９】
一方、第２の磁気センサを併用することで、駆動部の駆動による磁気の影響を受けて、誤って異常信号が出力されることが防止される。
【００２０】
また、本発明は、前記遊技盤の表面側には、前記可動部の動作状態によって遊技球を受け入れ可能な開口部を有し、前記第１の磁気センサは、前記開口部を基点とした遊技盤の表面側及び裏面側空間が磁力の検出範囲となるように配置されていることを特徴としている。
【００２１】
第１の磁気センサは、特に開口部の開口近傍で磁力を用いて遊技球を誘導するような不正行為を防止することができる。
【００２２】
さらに、本発明は、前記駆動部が、前記開口部に設けられた可動部を駆動するための第１の駆動部と、前記開口部とは別に設けられた演出用の可動部を駆動するための第２の駆動部とを備えることを特徴としている。
【００２３】
特に、開口部の開閉を司る可動部を動作させる駆動部を、第１の磁気センサ及び第２の磁気センサの検出範囲内とすることで、磁力を用いた不正行為を防止することができる。
【００２４】
また、本発明は、前記監視手段から出力される異常信号を受けて、異常な磁力の発生を報知する報知手段をさらに有することを特徴としている。
【００２５】
異常な磁力の発生を速やかに報知することにより、磁力を用いて遊技球を誘導するような不正行為を、より確実に防止することができる。
【発明の効果】
【００２６】
以上説明した如く本発明では、磁気センサの検出結果に基づき異常を検出する磁気監視制御の下、励磁制御により動作する電動役物等の駆動部から発する磁力に起因した、異常検出の発生を防止することができるという優れた効果を有する。
【図面の簡単な説明】
【００２７】
【図１】第１の実施の形態に係るパチンコ機の正面図である。
【図２】第１の実施の形態に係る遊技盤の正面図である。
【図３】第１の実施の形態に係る制御系のハード構成を示すブロック図である。
【図４】（Ａ）はアタッカーが設けられた電動役物の正面図、（Ｂ）は図４（Ａ）のＩＶＢ−ＩＶＢ線断面図である。
【図５】アタッカーが設けられた電動役物を背面から見た斜視図である。
【図６】第１の実施の形態に係る不正監視制御部の機能ブロック図である。
【図７】第１の実施の形態に係る不正監視制御の流れを示すフローチャートである。
【図８】第２の実施の形態に係り、（Ａ）は不正監視制御のための回路図、（Ｂ）は図８（Ａ）の論理回路部における真理値である。
【図９】第３の実施の形態に係り、（Ａ）は不正監視制御のための回路図、（Ｂ）は図８（Ａ）の論理回路部における真理値である。
【発明を実施するための形態】
【００２８】
（パチンコ機の構成）
図１に示されるように、パチンコ機１０の前面下部には、化粧パネルとなる下飾り１２が取り付けられている。
【００２９】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００３０】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００３１】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００３２】
上皿部２８の周縁壁部３２における図１の右端部には、球貸ボタン４２と、返却ボタン４４が設けられている。
【００３３】
また、一体皿２４の右側下部には打球の発射力（飛距離）を調整するためのグリップユニット（発射ハンドル）２６が取り付けられ、左側下部には、灰皿４６が取り付けられている。
【００３４】
一体皿２４における下皿部３０の図１の右側には受け皿スピーカ６０Ｕが配置されている。
【００３５】
ここで、一体皿２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３６】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００３７】
この結果、上演出部５２と下演出部５４とで、遊技盤１８の周囲を取り囲むように、演出部５６が形成されている。
【００３８】
この演出部５６は、上演出部５２及び下演出部５４共に、照明部材（ＬＥＤ等）が取り付けられた基板（図示省略）と、この基板を覆うように、所定の意匠で形成されたレンズカバー５８が取り付けられている。
【００３９】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっているが、単色に点灯するものであってもよい。或いは、レンズ部５８を予め着色してもよい。
【００４０】
ガラス枠の上部角部には、それぞれ三連表示６２が設けられ、遊技状態の報知（エラー報知等を含む）に適用される。
【００４１】
また、前記上演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００４２】
なお、以下では、前述した受け皿スピーカ６０Ｕと、このガラス枠スピーカ６０Ｃ、６０Ｌ、６０Ｒを総称して、「スピーカ６０」という。
【００４３】
（遊技盤の構成）
図２に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。なお、ベニヤ板に代えて透明アクリル板等が用いられる場合もある。これらの外レール１０２及び内レール１０４によって囲まれた円形状の領域は、発射装置１６５（図３参照）から発射されて打ち込まれた遊技球ＰＢが自重落下により移動可能とされ、この領域が遊技を行う遊技領域とされている。
【００４４】
遊技盤１８の遊技領域には、釘１９（一部のみ指標）が点在して打ち込まれ、かつ風車２１が取り付けられている。また、遊技領域におけるほぼ中央には、センター役物１０５が配置されている。センター役物１０５は、機械的に動作する可動役物装置１０５Ａ、１０５Ｂと、各種演出等の映像を表示する表示部１０６を備えている。可動役物装置１０５Ａ、１０５Ｂは、詳細な説明は省略するが、後述する特別図柄抽選の結果に基づいて、遊技者に当選の期待感を持たせるための動作として、表示部１０６の前面にせり出したり、表示部１０６の表示面を広狭したり等の動作演出が実行されるようになっている。一方、表示部１０６は、ＬＣＤ表示、ＬＥＤ表示等が適用可能であるが、特に表示形態に限定されるものではない。
【００４５】
表示部１０６では、例えば、特別図柄抽選の結果を報知するための図柄変動パターン演出が実行される。一例としては、３列の図柄列を個別に変動させ、その内の２列の図柄列が変動を停止したときの図柄が同一図柄となった場合を「リーチ」として遊技者に期待感を持たせる演出を実行し、最終列が停止して、既に停止している２列の図柄と同一図柄となった場合は当選、異なる図柄となった場合は落選を報知する。
【００４６】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００４７】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００４８】
図２に示される如く、センター役物１０５の下部には、特別図柄始動入賞口（Ａ）１３０が配置されている。特別図柄始動入賞口（Ａ）１３０は常時入賞可能に上部が開口している。
【００４９】
また、遊技盤１８の遊技領域の最下位置には、外れ球を遊技盤１８の裏側へ排出するアウト口１２４が設けられている。
【００５０】
一方、図２に示される如く、センター役物１０５の図２に向かって右側には、普通図柄抽選の始動機能を持つ通過ゲート１１８が配置されている。
【００５１】
この通過ゲート１１８の下方には、特別図柄始動入賞口（Ｂ）１３４が配置されている。特別図柄始動入賞口（Ｂ）１３４の上部開口は、釘１９によって通常は閉塞されている。
【００５２】
この特別図柄始動入賞口（Ｂ）１３４には、電動チューリップ１３６が取り付けられている。電動チューリップ１３６は、遊技盤１８の裏面側に配設された電チューソレノイド１３８（図３参照）の通電・非通電によって開閉する構成となっている。
【００５３】
電動チューリップ１３６は、前記普通図柄抽選に当選したときに開放するようになっている。電動チューリップ１３６が開放状態になると、特別図柄始動入賞口（Ｂ）１３４の入賞開口部へのパチンコ球ＰＢの受け入れが可能となり、パチンコ球ＰＢの入賞が可能となる。
【００５４】
前記特別図柄始動入賞口（Ｂ）１３４のさらに下部には、遊技領域の下端部付近に位置して特別図柄抽選の大当たり専用のアタッカー１１２が配置されている。
【００５５】
アタッカー１１２には、開閉扉１１６が設けられている。この開閉扉１１６が、アタッカーソレノイド１４８（図３参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００５６】
ここで、特別図柄始動入賞口（Ａ）１３０又は特別図柄始動入賞口（Ｂ）１３４に遊技球ＰＢが入賞すると、特別図柄抽選が実行される。
【００５７】
この特別図柄抽選において「大当たり」に当選すると、前記アタッカー１１２の開閉扉１１６が所定のパターンで開閉動作し、これを所定回数（所定ラウンド）繰り返すようになっている（「特別遊技」「大役処理」等と言う場合がある）。
【００５８】
なお、前記特別図柄抽選の抽選結果である当選（「大当たり」）は、主として表示部１０６の図柄変動表示演出において報知され、この図柄変動表示演出中、或いは、前記大役処理中の場合は、抽選結果の報知を待機（保留・記憶）し、順次報知していくようになっている。また、図柄変動表示演出と共に、動物などが擬人化されたキャラクタが表示され、特別図柄抽選で当選した旨を暗示させることにより、遊技者に期待感を持たせるといった、視覚的な演出をすることもあり、その場合は効果音によって聴覚からも遊技者の興趣を増大させる。
【００５９】
例えば、通常時がセンター役物１０５に向かって左側を狙って打つ遊技（所謂「左打ち状態」）であるのに対して、前記大役処理中は、前記アタッカー１１２に向けて、センター役物１０５に向かって右側を狙って打つ遊技（所謂「右打ち状態」）に変更する。
【００６０】
また、特定の遊技状態（例えば、大役処理後の一定期間の「右打ち状態」）で通過ゲート１１８を遊技球ＰＢが通過すると、普通図柄抽選が実行され、当該普通図柄抽選に当選すると、前記電動チューリップ１３６を開放する。前記特定の遊技状態では、電動チューリップの開放期間が長いため、特定の遊技状態以外の遊技状態に比べて、特別図柄始動入賞口（Ｂ）１３４に入賞する確率は増えることになる。
【００６１】
第１の実施の形態では、特定の遊技状態を「電動チューリップ１３６のサポート付の時短遊技状態」（「電サポ付時短」「電サポ付時短中」等と言う場合がある）とし、非電サポ付時短中のベースが２０であるのに対し、この電サポ付時短中のベースが１００となるように設定される。なお、ベースとは、発射球数に対する賞球払出数の割合であり、例えば、１００球の遊技球ＰＢが発射されて２０球の賞球払出があるときをベース２０といい、１００球の賞球払出があるときをベース１００という。
【００６２】
また、遊技盤１８には、センター役物１０５よりも下、かつ特別図柄始動入賞口（Ａ）１３０の左側（遊技盤１８の左下）には、複数の一般入賞口１２０（第１の実施の形態では、２個の一般入賞口１２０Ａ、１２０Ｂとする。）が設けられた役物装置１０７が配置されている。一般入賞口１２０は、２個に限られるものではなく、例えば、基本的なベースや入賞率等の設計上の演算によってその数を決めればよい。
【００６３】
なお、第１の実施の形態では、１個の特別図柄始動入賞口に対して最大４個（第１の実施の形態では、特別図柄始動入賞口（Ａ）１３０及び特別図柄始動入賞口（Ｂ）１３４の２個の特別図柄始動入賞口なので、８個となる。）の保留（遊技球の始動入賞に対する記憶）が可能となっている。なお、この保留球数は限定されるものではない。
【００６４】
保留球数は、主として特別図柄表示部を備えた遊技進行ガイドランプユニット１０９（図２に示すセンター役物１０５を正面視したときの右下に配置）の一部である特別図柄記憶表示部によって報知される。
【００６５】
また、センター役物１０５及び役物装置１０７との間の遊技盤１８の表面には、当該表面よりも奥側に埋め込まれるように、電飾装置１２２が配置されている。この電飾装置１２２の前面には、釘１９が打ち込まれている箇所があり、遊技球ＰＢが通過可能な流路上にあることがわかる。このため、遊技者は、遊技球ＰＢの動向を見る視線をずらさずに、当該電飾装置１２２の演出状態を視認可能となる。
【００６６】
（不正防止対策）
第１の実施の形態におけるパチンコ機１０では、パチンコ機１０を揺すったり、叩いたりすることで遊技球ＰＢの動向に変化をつけようとする不正行為、並びに、手に磁石を持ちガラス板１４（図１参照）に近づけることで、遊技球ＰＢの動向に変化をつけようとする不正行為の防止対策として、遊技盤１８の裏面側には、振動センサ２００及び複数個（第１の実施の形態では、４個）の磁気センサ２０２Ａ、２０２Ｂ、並びに第１の磁気センサ２０２ＣＡ、第２の磁気センサ２０２ＣＢを設けている。
【００６７】
なお、以下で詳述するが、第１の磁気センサ２０２ＣＡと第２の磁気センサ２０２ＣＢとは、磁力を検出する際に、対（ペア）で機能させる制御を行っている。
【００６８】
振動センサ２００は、図２に示す遊技盤１８の正面に対して左上（すなわち、裏面側では右上となる）の角部に設けられている（矩形枠参照）。
【００６９】
振動センサ２００の位置は特に制限はなく、遊技盤１８の全体を対象として、最も振動が伝わり易い位置に取り付ければよい。なお、第１の実施の形態では、１個の振動センサ２００で遊技盤１８の全体の領域の振動を検出するようにしたが、複数個の振動センサ２００を配置してもよい。
【００７０】
一方、磁気センサ２０２Ａは、図２に示す遊技盤１８の正面に対して、特別図柄始動入賞口（Ａ）１３０の左上（すなわち、裏面側では特別図柄始動入賞口（Ａ）１３０が配置の右上となる）に配置されている。
【００７１】
磁気センサ２０２Ｂは、図２に示す遊技盤１８の正面に対して、特別図柄始動入賞口（Ｂ）１３４の上方、かつ通過ゲート１１８の配置位置近傍に配置されている。
【００７２】
第１の磁気センサ２０２ＣＡ、第２の磁気センサ２０２ＣＢは、アタッカー１１２の右下（すなわち、裏面側ではアタッカー１１２の左下）にそれぞれに配置されている。
【００７３】
図２では、４個の磁気センサ２０２Ａ、２０２Ｂ、並びに第１の磁気センサ２０２ＣＡ、第２の磁気センサ２０２ＣＢを矩形枠で示し、かつ、磁力検出範囲Ａmagを円又は楕円の点線枠で示している。なお、磁力検出範囲Ａmagは、実際には、球体のように三次元的な空間である。また、磁気センサ２０２Ａ、２０２Ｂ、並びに第１の磁気センサ２０２ＣＡは検出面（光軸）が図２の奥行き方向（遊技盤１８面にほぼ垂直）に向けられており、第２の磁気センサ２０２ＣＢは検出面（光軸）が図２の左右方向（遊技盤１８面にそうほぼ水平方向）に向けられている。
【００７４】
ここで、磁気センサ２０２Ａ、２０２Ｂ、並びに第１の磁気センサ２０２ＣＡ、第２の磁気センサ２０２ＣＢのぞれぞれの磁力検出範囲Ａmag内には、前述したように、特別図柄始動入賞口（Ａ）１３０、特別図柄始動入賞口（Ｂ）１３４、アタッカー１１２が存在している。これらの共通点は、入賞口を備えた役物装置である。また、磁力によって可動部材（電動チューリップ１３４や開閉部材１１６等）を動作させる電動役物の場合もある。
【００７５】
この電動役物の場合、例えば、アタッカー１１２の開閉扉１１６が開放しているとき、磁石を手にもって近づけて、遊技球ＰＢを集中して滞留させ、一気に入賞させるといった不正行為があった場合、第１の磁気センサ２０２ＣＡによって、異常を知らせる強度の検出信号が出力されることになる。
【００７６】
後述する主制御部１５０には、不正監視制御部２０４（図３参照）が設けられており、磁気センサ２０２Ａ、２０２Ｂ、並びに第１の磁気センサ２０２ＣＡ、第２の磁気センサ２０２ＣＢからの検出信号を入力源として受け付けて、予め定めたしきい値と比較し、検出信号がしきい値を超えている場合に、異常信号を出力することで、不正行為を監視するようにしている（詳細後述）。なお、不正監視制御部２０４では、前記振動センサ２００からの検出信号を受け付け、振動に関する不正の監視も行っている。
【００７７】
一方、役物装置、特に電動役物において、磁力を用いて可動部材を動作させるとき、それぞれが磁力検出範囲Ａmagとなる磁気センサ２０２Ｂ、第１の磁気センサ２０２ＣＡが異常を知らせる強度の検出信号を出力する場合がある。
【００７８】
例えば、前記アタッカー１１２においても、開閉扉１１６が開放中は、アタッカーソレノイド１４８（図４、図５参照）が励磁されており、この励磁による磁力が第１の磁気センサ２０２ＣＡによって検出される場合がある。
【００７９】
これを回避するため、磁力検出範囲Ａmagから逸脱した位置にアタッカーソレノイド１４８を配置すればよいが、構造上の制約が大きく、遊技盤１８への役物配置の自由度が失われることになる。
【００８０】
そこで、第１の実施の形態では、電動役物の磁力を発生する駆動源と、磁気センサ（第１の実施の形態では、磁気センサ２０２Ｂ、第１の磁気センサ２０２ＣＡ）の磁力検出領域Ａmagとの相対位置関係を考慮する必要がなく、かつ、駆動源の動作による異常信号の誤出力を回避する不正監視制御部２０４を構築した。
【００８１】
以下、図４及び図５に基づいて、電動役物の一例として、第１の磁気センサ２０２ＣＡの磁力検出範囲Ａmag内に位置する、アタッカー１１２の詳細構造を説明する。
【００８２】
図４（Ａ）は、遊技盤１８の正面から見たアタッカー電動役物２０６の正面図であり、全体の外観を構成する合成樹脂製の装飾部材２０８は、その一部が円形の遊技領域の右下の円弧に沿って円弧状に形成されている。
【００８３】
装飾部材２０８には、横長矩形（長方形）の開口部２１０形成されている（図４（Ｂ）参照）。この開口部２１０は、遊技盤１８を落下してくる遊技球ＰＢの入賞口の１つであり、入賞によって賞球を受けるようになっている。
【００８４】
開口部２１０の下辺部には、図示しない蝶番を介して、開閉扉１１６の下辺が連結されている。このため開閉扉１１６は、当該下辺を中心に開口部２１０を閉止する位置、並びに開口部２１０を開放し、かつ落下してくる遊技球ＰＢを開口部２１０へ案内する受け部材として機能する。
【００８５】
図５に示される如く、開口部２１０の裏面側には、入賞した遊技球ＰＢを案内すると共に、前記開閉扉１１６の開閉動作を担うアタッカーソレノイド１４８を支持するブラケット２１２が設けられている。アタッカーソレノイド１４８には、励磁／非励磁によって伸縮するアクチュエータ１４８Ａ（図４（Ａ）参照）が設けられ、当該アクチュエータ１４８Ａと前記開閉扉１１６とが図示しないリンク機構を介して連結されている。
【００８６】
このため、開閉扉１１６は、アタッカーソレノイド１４８の励磁／非励磁によって開閉動作が実行される。
【００８７】
前記ブラケット２１２には、検出面が遊技盤１８の裏面に対向するように、第１の磁気センサ２０２ＣＡが取り付けられている。第１の磁気センサ２０２ＣＡの検出範囲Ａmagは、図２に示される如く、遊技盤１８の正面からみると円形である。しかし、実際には、図４（Ｂ）に示される如く、磁気センサ２０２Ｃの検出面の前後に略球体状の検出範囲Ａmagが形成されている。
【００８８】
第１の磁気センサ２０２ＣＡの検出範囲Ａmagは、遊技盤１８の前面における不正行為が実行される可能性のある領域を十分に確保している。また、一方で、第１の磁気センサ２０２ＣＡの検出範囲Ａmagは、前記アタッカーソレノイド１４８の取り付け領域を含んでいる。このため、アタッカーソレノイド１４８が励磁されると、第１の磁気センサ２０２ＣＡは、しきい値を超える強度の検出信号を出力する。すなわち、この検出信号は、前記不正行為が実行されたことを示す異常信号となり得る。
【００８９】
前記ブラケット２１２の背面側には、検出面（光軸）が遊技盤１８と平行（ほぼ水平方向）となるように、第２の磁気センサ２０２ＣＢが取り付けられている。第２の磁気センサ２０２ＣＢの検出範囲Ａmagは、図２に示される如く、遊技盤１８の正面からみると検出面の前後に略球体状の検出範囲Ａmagが形成されている。
【００９０】
この第２の磁気センサ２０２ＣＢの検出範囲Ａmagは、前記アタッカーソレノイド１４８の取り付け領域を含んでいる。このため、アタッカーソレノイド１４８が励磁されると、第２の磁気センサ２０２ＣＢは、しきい値を超える強度の検出信号を出力する。
【００９１】
一方、第２の磁気センサ２０２ＣＢの検出範囲Ａmagは、遊技盤１８の前面は領域外であり、前記第１の磁気センサ２０２ＣＡとは異なり、遊技盤１８の前面での磁力を用いた不正行為を検出するものではない。
【００９２】
すなわち、第１の磁気センサ２０２ＣＡと第２の磁気センサ２０２ＣＢの検出信号の組み合せにより、異常信号の出力の可否を判定している。より詳細には、第１の磁気センサ２０２ＣＡでは、不正行為の発生時とアタッカーソレノイド１４８の励磁中とにおいて、しきい値を超える検出信号を出力するため、異常信号を出力するが、第２の磁気センサ２０２ＣＢにおいて、アタッカーソレノイド１４８の励磁によりしきい値を超える検出信号が出力された場合は、当該異常信号は出力しない。
（制御系の構成）
次に、図３を用いてパチンコ機１０の制御系について説明する。
【００９３】
第１の実施形態に係るパチンコ機１０の制御系は、図３に示されるように、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００９４】
主制御部１５０からは盤用外部端子１９０を介してホールコンピュータ（図示省略）へ遊技の進行状態を示す情報（始動入賞信号や大当たり信号、図柄確定回数信号等）が送信される。
【００９５】
主制御部１５０には、入力系として、通過ゲート１１８を通過する遊技球ＰＢを検出する通過ゲートセンサ１１８Ｓ、特別図柄始動入賞口（Ａ）１３０への入賞球を検出する特図Ａ始動口センサ１３０Ｓ、特別図柄始動入賞口（Ｂ）１３４への入賞球を検出する特図Ｂ始動口センサ１３４Ｓ、「大当たり」の際に開放するアタッカー１１２への入賞球を検出するアタッカーセンサ１１２Ｓ、一般入賞口１２０Ａ、１２０Ｂへの入賞球を検出する一般入賞センサ１２０ＡＳ、１２０ＢＳが接続されている。
【００９６】
さらに、主制御部１５０の入力系、かつ不正監視用として、振動センサ２００、磁気センサ２０２Ａ、２０２Ｂ、並びに第１の磁気センサ２０２ＣＡ、第２の磁気センサ２０２ＣＢが接続されている。
【００９７】
また、主制御部１５０には、出力系として、遊技情報や遊技状態をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【００９８】
演出制御部１５２には、入力系として、前記操作ボタン５０が接続されている。また、演出制御部１５２には、出力系として、前記電飾装置１２２のＬＥＤチップ１２２Ａ、並びにパチンコ機１０の各種遊技部品に設けられた照明演出用の光源１３７、スピーカ６０（６０Ｌ、６０Ｃ、６０Ｒ、６０Ｕ）が接続されている。
【００９９】
さらに、演出制御部１５２には、図柄制御部１５６を介して表示部１０６が接続されている。
【０１００】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【０１０１】
さらに、払出制御部１５４では、枠用外部端子１９１を介して払出情報をホールに設置されたホールコンピュータ（図示省略）へ送信するようになっている。
【０１０２】
また、主制御部１５０には、振動センサ２００及び磁気センサ２０２Ａ、２０２Ｂ、並びに第１の磁気センサ２０２ＣＡ、第２の磁気センサ２０２ＣＢからの検出信号に基づいて、不正行為を監視する不正監視制御部２０４が設けられている。
【０１０３】
（不正監視制御部２０４の機能）
図６は、不正監視制御部２０４において、第１の磁気センサ２０２ＣＡ、第２の磁気センサ２０２ＣＢ、すなわちアタッカー１１２の周囲を対象とした不正監視制御のための機能ブロック図である。なお、他の磁気センサ２０２Ａ、２０２Ｂにおいても同様の機能によって不正監視制御が可能である。
【０１０４】
また、振動センサ２００においては、図示は省略したが、振動状態（強度（振幅）、単位振動回数（周波数）、振動期間等）をパラメータとして、遊技者等が意図的に不正に遊技盤１８を揺らす、或いは叩く等の行為を行っているか否かを監視すればよい。
【０１０５】
図６に示される如く、第１の磁気センサ２０２ＣＡは、検出信号受付部２１４Ａに接続されている。検出信号受付部２１４Ａでは、第１の磁気センサ２０２ＣＡで検出した磁気の強度に応じた検出信号を受け付ける。また、第２の磁気センサ２０２ＣＢは、検出信号受付部２１４Ｂに接続されている。検出信号受付部２１４Ｂでは、第２の磁気センサ２０２ＣＢで検出した磁気の強度に応じた検出信号を受け付ける。
【０１０６】
検出信号受付部２１４Ａは、信号強度比較部２１６Ａに接続されている。また、信号強度比較部２１６Ａには、信号強度しきい値記憶部２１８Ａが接続されている。このため、信号強度比較部２１６Ａには、第１の磁気センサ２０２ＣＡからの検出信号としきい値とが入力され、両者が比較されるようになっている。
【０１０７】
また、検出信号受付部２１４Ｂは、信号強度比較部２１６Ｂに接続されている。また、信号強度比較部２１６Ｂには、信号強度しきい値記憶部２１８Ｂが接続されている。このため、信号強度比較部２１６Ｂには、第２の磁気センサ２０２ＣＢからの検出信号としきい値とが入力され、両者が比較されるようになっている。
【０１０８】
前記信号強度比較部２１６Ａ、２１６Ｂでは、第１の磁気センサ２０２ＣＡ、２０２ＣＢからの信号が磁力の強度に応じたアナログ信号（例えば、電圧値）の場合、Ａ／Ｄ変換（例えば、８ビットデータに変換）する場合がある。
【０１０９】
信号強度比較部２１６Ａ、２１６Ｂにおける比較結果は、磁気異常有無判定部２２０に送出されるようになっている。磁気異常有無判定部２２０では、第１の磁気センサ２０２ＣＡからの検出信号がしきい値を超える検出信号であり、かつ第２の磁気センサ２０２ＣＢからの検出信号がしきい値以下の検出信号の場合に、「異常」であると判定され、当該「異常」と判定された場合に異常信号出力部２２２に対して異常信号の出力指示信号を送出する。
【０１１０】
異常信号出力部２２２は、盤用外部端子１９０及び報知デバイス２２６（表示部１０６、光源１３７、スピーカ６０等）に接続され、それぞれに対し、異常を報知する信号を出力する。例えば、盤用外部端子１９０へホストコンピュータで解読可能な異常信号を出力する。また、表示部１０６へ画像表現による異常信号を出力する。光源１３７へ点灯表現による異常信号を出力する。スピーカ６０へ音声表現による異常信号を出力する。なお、異常信号の出力先は一つでもよいし、２以上を併用してもよい。
【０１１１】
以下に第１の実施の形態の作用を説明する。
【０１１２】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の略円形の遊技領域に打ち込まれ、遊技釘や風車に当たり方向を変えながら遊技領域内を落下する。そして、入賞せずに遊技領域の下端部に至った遊技球ＰＢはアウト口１２４からパチンコ機１０内に回収される。
【０１１３】
（第１の実施の形態に係る遊技仕様）
第１の実施の形態では、所謂「左打ち」による遊技が基本（基本遊技）となる。すなわち、表示部１０６を境界として、遊技盤１８の左側を通るように遊技球ＰＢの発射強度を調整することで、風車や釘等の障害物に当接しながら、特別図柄始動入賞口（Ａ）１３０へ遊技球を導いていき、入賞すると特別図柄抽選が実行される。
【０１１４】
特別図柄抽選は、表示部１０６にて実行される図柄変動パターン演出によって、遊技者に対し抽選結果の報知が実行される。図柄変動パターン演出は、主制御部１５０からの指示信号等に基づき、図柄変動パターン選択テーブルから図柄変動パターン種が選択されて実行される。
【０１１５】
特別図柄抽選に当選すると、アタッカー１１２の開閉扉１１６が、所定時間、所定回数開放して、遊技球の入賞を通常遊技状態よりも飛躍的に高める大役処理が実行される。
【０１１６】
大役処理は、上記基本遊技とは別に、所謂「右打ち」による遊技となる。
【０１１７】
すなわち、表示部１０６を境界として、遊技盤１８の右側を通るように遊技球ＰＢの発射強度を調整することで、風車や釘等の障害物に当接しながら、アタッカー１１２へ遊技球を導いていく。
【０１１８】
次に、大役処理が終了すると、前記左打ちに戻る場合と、右打ちを継続する場合とがある。右打ちの継続された場合、特別図柄始動入賞口（Ｂ）１３４へ遊技球を導いていく。このとき、時短状態となっており、遊技球ＰＢが通過ゲート１１８を通過すると普通図柄抽選が時短状態で実行され、当選（例えば、当選確率１／１．１）となれば電動チューリップ１３６が頻繁に開放され、特別図柄始動入賞口（Ｂ）１３４への入賞が可能となる。遊技球ＰＢがこの特別図柄始動入賞口（Ｂ）１３４に入賞すると、特別図柄始動入賞口（Ａ）１３０と同様に特別図柄抽選が実行される。
【０１１９】
ここで、上記遊技仕様を実行するプログラムは、主制御部１５０の記憶部（例えば、ＲＯＭ）に記憶され、当該プログラムが実行される。また、主制御部１５０では、電チューソレノイド１３８の動作、アタッカーソレノイド１４８の動作、並びに、ガイドランプユニットの点灯制御が実行される。
【０１２０】
さらに、演出制御部１５２では、図柄制御部１５６を介して表示部１０６の表示制御を含み、聴覚や視覚を通じた演出が実行され、払出制御部１５４では遊技球ＰＢの払い出し制御が実行される。
【０１２１】
以下、図７のフローチャートに従い、第１の実施の形態に係る、第１の磁気センサ２０２ＣＡ、第２の磁気センサ２０２ＣＢによる不正監視制御ルーチンを説明する。
【０１２２】
ステップ２５０では、第１の磁気センサ２０２ＣＡからの検出信号を取り込む。次のステップ２５２では、しきい値を読み出し、次いでステップ２５４へ移行して、検出信号の信号強度（例えば、磁力強度に応じた８ビットデータ）をしきい値と比較する。
【０１２３】
次のステップ２５６では、前記ステップ２５４での比較の結果、検出信号の信号強度がしきい値を超えたか否かが判断され、否定判定された場合は、不正行為はないと判断し、このルーチンは終了する。
【０１２４】
一方、ステップ２５６で肯定判定された場合は、不正行為の可能性があると判断し、ステップ２５８へ移行して、第２の磁気センサ２０２ＣＢからの検出信号を取り込む。次のステップ２６０では、しきい値を読み出し、次いでステップ２６２へ移行して、検出信号の信号強度（例えば、磁力強度に応じた８ビットデータ）をしきい値と比較する。
【０１２５】
次のステップ２６４では、前記ステップ２６２での比較の結果、検出信号の信号強度がしきい値を超えたか否かが判断され、否定判定された場合は、遊技盤１８の裏面側で磁力が発生せず、遊技盤１８の前面で磁力が発生していることから、不正行為であると判断し、ステップ２６６へ移行して異常信号の出力を実行し、このルーチンは終了する。
【０１２６】
また、ステップ２６４で肯定判定された場合は、遊技盤１８の裏面側で磁力が発生している（アタッカーソレノイド１４８が駆動している）ことから、遊技盤１８の前面で磁力が発生しているという絶対的な根拠となり得ず、ステップ２６８へ移行して、異常信号の出力をキャンセルする。
【０１２７】
なお、第２の磁気センサ２０２ＣＢの主たる機能として、アタッカーソレノイド１４８の駆動状態（磁力の発生状態）を検出するようにしたが、検出範囲内に、例えば、演出用可動物を動作させるための駆動源としての演出用ソレノイドを配置し、第１の磁気センサ２０２ＣＡで異常と判定された場合でも、当該演出用ソレノイドの動作中は、当該異常に基づく異常信号の出力をキャンセルするようにしてもよい。
【０１２８】
第１の実施の形態によれば、アタッカーソレノイド１４８の近傍に第１の磁気センサ２０２ＣＡ及び第２の磁気センサ２０２ＣＢを配置し、第１の磁気センサ２０２ＣＡの検出光軸を遊技盤１８面に垂直として遊技盤１８の前面及び裏面の磁力を検出可能とし、第２の磁気センサ２０２ＣＢの検出光軸を遊技盤１８面に平行として遊技盤１８の裏面の磁力を検出可能とし、これらの検出結果の組み合わせによって、遊技盤１８の前面で発生する磁力（主として不正行為による磁力）を確実に検出することができる。
【０１２９】
なお、上記第１の実施の形態では、不正監視制御及び電動役物可動中の監視回避を所謂ソフト的な処理で行ったが、アタッカーソレノイド１４８等の駆動部の駆動状態に基づいて、所謂ハード的に磁気センサ２０２Ａ、２０２Ｂ、第１の磁気センサ２０２ＣＡ、第２の磁気センサ２０２ＣＢの配線を断続するといった構成であってもよい。
【０１３０】
また、上記第１の実施の形態不正監視制御部２０４において、磁気検出信号の強度をしきい値と比較して、異常か否かを判定する構成としている。
【０１３１】
すなわち、上記第１の実施の形態では、信号強度比較部２１６Ａ、２１６Ｂ、信号強度しきい値記憶部２１８Ａ、２１８Ｂ、磁気異常有無判定部２２０では、前記検出信号受付部２１４Ａ、２１４Ｂで受け付ける第１の磁気センサ２０２ＣＡ、第２の磁気センサ２０２ＣＢの信号が、アナログ情報であり、予め定めた信号強度を超えた場合に異常信号である制御を行っている。
【０１３２】
これに対し、第１の磁気センサ２０２ＣＡ、第２の磁気センサ２０２ＣＢ自体を、異常とされる磁力を受けたときと、そうでないときのデジタル情報（二値信号「Ｈ／Ｌ信号」）を出力する構成とし、検出信号受付部２１４で受け付けたデジタル信号に基づいて、異常信号を出力するか否かを判断するようにしてもよい。
【０１３３】
（第２の実施の形態）
以下に本発明の第２の実施の形態について説明する。
【０１３４】
上記第１の実施の形態では、信号強度比較部２１６Ａ、２１６Ｂにおいて、第１の磁気センサ２０２ＣＡからの検出信号がしきい値を超えるか否かの比較を行い、並びに磁気異常有無判定部２２０において、第１の磁気センサ２０２ＣＡからの検出信号がしきい値を超える検出信号の場合、それが不正行為によるものか否かの真贋を判定するようにし、不正行為の監視制御を、所謂ソフトウェアプログラムを主体とした制御としたが、第２の実施の形態では、当該異常信号の真贋を、所謂ハードウェア（回路構成）で判断するようにした。
【０１３５】
図８（Ａ）に示される如く、第２の実施の形態では、第１の磁気センサ２０２ＣＡと第２の磁気センサ２０２ＣＢとは、不正監視制御部２０４の上流側に設けられた磁気検出信号管理回路部２０５に接続されている。
【０１３６】
図８（Ａ）は、磁気検出信号管理回路部２０５の詳細な回路構成を示す回路図である。
【０１３７】
第１の磁気検出センサ２０２ＣＡ、第２の磁気センサ２０２ＣＢは、それぞれＮＰＮ型トランジスタ２３０Ａ、２３０Ｂ（以下、「ＴＲ２３０Ａ」、「ＴＲ２３０Ｂ」という）を備え、そのベース（Ｂ）には、不正行為の実行に準じる磁力を受けたときにＬ信号を発し、不正行為の実行に準じる磁力を受けていないときにＨ信号を発するようにＤＣ電源が供給されている。また、ＴＲ２３０Ａ、ＴＲ２３０Ｂのコレクタ（Ｃ）には、それぞれ抵抗２３２Ａ介してＤＣ電源線２３４が接続され、エミッタ（Ｅ）には、接地線（アース線）２３６を介して接地されている。
【０１３８】
また、ＴＲ２３０Ａのコレクタ（Ｃ）は、信号線２３７Ａを介して論理回路部２５８の第１の入力端２５８Ａに接続されている。また、ＴＲ２３０Ｂのコレクタ（Ｃ）は、信号線２３７Ｂを介して、論理回路部２５８の第２の入力端２５８Ｂに接続されている。
【０１３９】
この論理回路部２５８の出力端２５８Ｘは、不正監視制御部２０４の検出信号受付部２１４に接続されている。
【０１４０】
ＴＲ２３０Ａでは、ベースが磁力を受けていない状態（Ｈ信号）では、コレクタ−エミッタ間がオンとなり、ＤＣ電源から抵抗２３２Ａを介してＴＲ２３０Ａのコレクタ−エミッタ間に電流が流れる。このため、論理回路部２５８の第１の入力端２５８Ａには、Ｌ信号が送出される。このＬ信号は、磁気未検出を意味する。また、ＴＲ２３０Ａでは、ベースが磁力を受けた状態（Ｌ信号）では、コレクタ−エミッタ間がオフとなり、ＤＣ電源から、抵抗２３２Ａを介して、論理回路部２５８の第１の入力端２５８Ａに、Ｈ信号が送出される。これは、磁気検出を意味する。
【０１４１】
一方、ＴＲ２３０Ｂでは、ベースが磁力を受けていない状態（Ｈ信号）では、コレクタ−エミッタ間がオンとなり、ＤＣ電源から抵抗２３２Ｂを介してＴＲ２３０Ｂのコレクタ−エミッタ間に電流が流れる。このため、論理回路部２５８の第２の入力端２５８Ｂには、Ｌ信号が送出される。このＬ信号は、磁気未検出を意味する。また、ＴＲ２３０Ｂでは、ベースが磁力を受けた状態（Ｌ信号）では、コレクタ−エミッタ間がオフとなり、ＤＣ電源から、抵抗２３２Ｂを介して、論理回路部２５８の第２の入力端２５８Ｂに、Ｈ信号が送出される。これは、磁気検出を意味する。
【０１４２】
論理回路部２５８は、ＡＮＤ回路２６０が設けられている。当該ＡＮＤ回路２６０の入力側の一方の端子（Ａ端子）は、論理回路部２５８の第１の入力端２５８Ａに直接接続されている。また、ＡＮＤ回路２６０の入力側の他方の端子（Ｂ端子）は、論理回路部２５８の第２の入力端２５８ＢにＮＯＴ回路２６２を介して接続されている。
【０１４３】
この論理回路部２５８の出力側の端子（Ｘ端子）は、直接、主制御部１５０の不正監視制御部２０４Ａに接続されている。この第２の実施の形態における不正監視制御部２０４Ａは、入力信号がハイレベル（Ｈ）信号又はローレベル（Ｌ）の二値信号であり、一方の信号（例えば、Ｈ信号）が入力された場合は異常信号、他方の信号（例えば、Ｌ信号）が入力された場合は正常信号と判断する。なお、Ｌ信号が異常信号、Ｈ信号が正常信号であってもよい。
【０１４４】
論理回路部２５８では、図８（Ｂ）に示す真理値表に基づく動作をするように構成されている。
【０１４５】
すなわち、第１の磁気センサ２０２ＣＡの検出信号は、直接ＡＮＤ回路２６０のＡ端子には、磁気未検出のときにＬ信号、磁気検出のときにＨ信号が入力される。
【０１４６】
一方、第２の磁気センサ２０２ＣＢの検出信号は、ＮＯＴ回路２６２によって反転されてＡＮＤ回路２６０のＢ端子に入力されるため、当該Ｂ端子には、磁気未検出のときにＨ信号、磁気検出のときにＬ信号が入力される。
【０１４７】
この結果、ＡＮＤ回路２６０のＸ端子からは、第１の磁気センサ２０２ＣＡで磁気検出、第２の磁気センサ２０２ＣＢで磁気未検出のときのみＨ信号が出力され、異常信号として不正監視制御部２０４Ａへ送出される。
【０１４８】
（第３の実施の形態）
以下に本発明の第３の実施の形態について説明する。
【０１４９】
上記第１の実施の形態では、信号強度比較部２１６Ａ、２１６Ｂにおいて、第１の磁気センサ２０２ＣＡからの検出信号がしきい値を超えるか否かの比較を行い、並びに磁気異常有無判定部２２０において、第１の磁気センサ２０２ＣＡからの検出信号がしきい値を超える検出信号の場合、それが不正行為によるものか否かの真贋を判定するようにし、不正行為の監視制御を、所謂ソフトウェアプログラムを主体とした制御としたが、第３の実施の形態では、当該異常信号の真贋を、所謂ハードウェア（回路構成）で判断するようにした。
【０１５０】
図９（Ａ）に示される如く、第３の実施の形態では、第１の磁気センサ２０２ＣＡと第２の磁気センサ２０２ＣＢとは、不正監視制御部２０４の上流側に設けられた磁気検出信号管理回路部２０５に接続されている。
【０１５１】
図９（Ａ）は、磁気検出信号管理回路部２０５の詳細な回路構成を示す回路図である。
【０１５２】
第１の磁気検出センサ２０２ＣＡ、第２の磁気センサ２０２ＣＢは、それぞれＮＰＮ型トランジスタ２３０Ａ、２３０Ｂ（以下、「ＴＲ２３０Ａ」、「ＴＲ２３０Ｂ」という）を備え、そのベース（Ｂ）には、不正行為の実行に準じる磁力を受けたときにＬ信号を発し、不正行為の実行に準じる磁力を受けていないときにＨ信号を発するようにＤＣ電源が供給されている。また、ＴＲ２３０Ａ、ＴＲ２３０Ｂのコレクタ（Ｃ）には、それぞれ抵抗２３２Ａ介してＤＣ電源線２３４が接続され、エミッタ（Ｅ）には、接地線（アース線）２３６を介して接地されている。
【０１５３】
また、ＴＲ２３０Ａのコレクタ（Ｃ）は、信号線２３７Ａを介して論理回路部２３８の第１の入力端２３８Ａに接続されている。また、ＴＲ２３０Ｂのコレクタ（Ｃ）は、信号線２３７Ｂを介して、論理回路部２３８の第２の入力端２３８Ｂに接続されている。
【０１５４】
この論理回路部２３８の出力端２３８Ｘは、不正監視制御部２０４の検出信号受付部２１４に接続されている。
【０１５５】
ＴＲ２３０Ａでは、ベースが磁力を受けていない状態（Ｈ信号）では、コレクタ−エミッタ間がオンとなり、ＤＣ電源から抵抗２３２Ａを介してＴＲ２３０Ａのコレクタ−エミッタ間に電流が流れる。このため、論理回路部２３８の第１の入力端２３８Ａには、Ｌ信号が送出される。このＬ信号は、磁気未検出を意味する。また、ＴＲ２３０Ａでは、ベースが磁力を受けた状態（Ｌ信号）では、コレクタ−エミッタ間がオフとなり、ＤＣ電源から、抵抗２３２Ａを介して、論理回路部２３８の第１の入力端２３８Ａに、Ｈ信号が送出される。これは、磁気検出を意味する。
【０１５６】
一方、ＴＲ２３０Ｂでは、ベースが磁力を受けていない状態（Ｈ信号）では、コレクタ−エミッタ間がオンとなり、ＤＣ電源から抵抗２３２Ｂを介してＴＲ２３０Ｂのコレクタ−エミッタ間に電流が流れる。このため、論理回路部２３８の第２の入力端２３８Ｂには、Ｌ信号が送出される。このＬ信号は、磁気未検出を意味する。また、ＴＲ２３０Ｂでは、ベースが磁力を受けた状態（Ｌ信号）では、コレクタ−エミッタ間がオフとなり、ＤＣ電源から、抵抗２３２Ｂを介して、論理回路部２３８の第２の入力端２３８Ｂに、Ｈ信号が送出される。これは、磁気検出を意味する。
【０１５７】
論理回路部２３８は、ＯＲ回路２４０が設けられている。当該ＯＲ回路２４０の入力側の一方の端子（Ａ端子）は、論理回路部２３８の第１の入力端２３８ＡにＮＯＴ回路２４２を介して接続されている。また、ＯＲ回路２４０の入力側の他方の端子（Ｂ端子）は、論理回路部２３８の第２の入力端２３８Ｂに直接接続されている。
【０１５８】
この論理回路部２３８の出力側の端子（Ｘ端子）は、ＮＯＴ回路２４４を介して、主制御部１５０の不正監視制御部２０４Ａに接続されている。この第３の実施の形態における不正監視制御部２０４Ａは、入力信号がハイレベル（Ｈ）信号又はローレベル（Ｌ）の二値信号であり、一方の信号（例えば、Ｈ信号）が入力された場合は異常信号、他方の信号（例えば、Ｌ信号）が入力された場合は正常信号と判断する。なお、Ｌ信号が異常信号、Ｈ信号が正常信号であってもよい。
【０１５９】
論理回路部２３８では、図９（Ｂ）に示す真理値表に基づく動作をするように構成されている。
【０１６０】
すなわち、第１の磁気センサ２０２ＣＡの検出信号は、ＮＯＴ回路２４２によって反転されるため、ＯＲ回路２４０のＡ端子には、磁気未検出のときにＨ信号、磁気検出のときにＬ信号が入力される。
【０１６１】
一方、第２の磁気センサ２０２ＣＢの検出信号は、直接ＯＲ回路２４０のＢ端子に入力されるため、当該Ｂ端子には、磁気未検出のときにＬ信号、磁気検出のときにＨ信号が入力される。
【０１６２】
この結果、ＯＲ回路２４０のＸ端子からは、第１の磁気センサ２０２ＣＡで磁気検出、第２の磁気センサ２０２ＣＢで磁気未検出のときのみＬ信号が出力され、ＮＯＴ回路２４４によって反転されたＨ信号が異常信号として不正監視制御部２０４Ａへ送出される。
【０１６３】
なお、第１の実施の形態〜第３の実施の形態では、第１の磁気センサ２０２ＣＡに対するペアとして、遊技盤１８の前面を検出領域としない第２の磁気センサ２０２ＣＢを設けたが、他の磁気センサ２０２Ａ、２０２Ｂにおいても、それぞれ、遊技盤１８の前面を検出領域としない磁気センサをペアとして設け、必要に応じて、異常信号をキャンセルするようにしてもよい。
【符号の説明】
【０１６４】
１０    パチンコ機（遊技機）
１８    遊技盤
６０    スピーカ（報知手段）
１０５    センター役物
１０６    表示部（報知手段）
１１２    アタッカー
１１６    開閉扉
１３６    電動チューリップ
１３７    光源（報知手段）
１３８    電チューソレノイド（駆動部）
１４８    アタッカーソレノイド（駆動部）
１４８Ａ    アクチュエータ
１５０    主制御部
１５２    演出制御部
１５４    払出制御部
２０２Ａ、２０２Ｂ    磁気センサ
２０２ＣＡ    第１の磁気センサ
２０２ＣＢ    第２の磁気センサ
２０４    不正監視制御部（監視手段）
２０６    アタッカー電動役物
２０８    装飾部材
２１０    開口部
２１２    ブラケット
２１４Ａ    検出信号受付部
２１４Ｂ    検出信号受付部
２１６Ａ    信号強度比較部
２１８Ａ    信号強度しきい値記憶部
２１６Ｂ    信号強度比較部
２１８Ｂ    信号強度しきい値記憶部
２２０    磁気異常有無判定部
２２２    異常信号出力部
２２６    報知デバイス
【図１】
2014057739.tif 000003
【図２】
2014057739.tif 000004
【図３】
2014057739.tif 000005
【図４】
2014057739.tif 000006
【図５】
2014057739.tif 000007
【図６】
2014057739.tif 000008
【図７】
2014057739.tif 000009
【図８】
2014057739.tif 000010
【図９】
2014057739.tif 000011